(57)【特許請求の範囲】
【請求項１】
開口延長アダプター（６２）であり、
前記開口延長アダプター（６２）は、ファイル（８）の収納開口部（１８）を挟持するか、または、前記収納開口部（１８）に挟持されて用いられ、
前記開口延長アダプター（６２）は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、
前記開口延長アダプター（６２）が、前記開口延長アダプター（６２）を構成する構成シート（１０）の外側の面に備えられた着脱係止部（１０７）によって、前記開口延長アダプター（６２）を備えた複数のファイル（８）が互いに係止することによって、前記開口延長アダプター（６２）を備えたファイル（８）が、互いに支え合い、自立可能であることを特徴とする開口延長アダプター（６２）。
【請求項２】
前記開口延長アダプター（６２）を構成する前記構成シート（１０）が、前記中空収納部（７）を構成する構成シート（１０）の内側に着脱係止部（１０７）を備えたことを特徴とした請求項１に記載の開口延長アダプター（６２）。
【請求項３】
前記着脱係止部（１０７）が、面ファスナーまたは自己吸着シートまたはマグネットシートまたはマグネットであることを特徴とする請求項１から請求項２のいずれかに記載の開口延長アダプター（６２）。
【請求項４】
前記開口延長アダプター（６２）が収納名札（５１）を備え、
前記収納名札（５１）は札挟持部（５２）を備え、
前記札挟持部（５２）は、前記開口延長アダプター（６２）の収納開口部（１８）にて挟持されることが可能であり、
前記札挟持部（５２）は、着脱シートＡ（１４）または着脱材Ｂ（１５）を備え、
前記着脱シートＡ（１４）または着脱材Ｂ（１５）は、着脱係止部（１０７）と係止可能であり、
前記着脱シートＡ（１４）または着脱材Ｂ（１５）によって前記開口延長アダプター（６２）と着脱可能であることを特徴とした請求項１から請求項３のいずれかに記載の開口延長アダプター（６２）。
【請求項５】
着脱係止収納アダプターユニット（１）であり、前記着脱係止収納アダプターユニット（１）は、ファイル（８）及び開口延長アダプター（６２）からなり、前記開口延長アダプター（６２）は、請求項１から請求項４のいずれかの開口延長アダプター（６２）であり、
前記ファイル（８）は、前記開口延長アダプター（６２）によって前記ファイル（８）の
収納開口部（１８）を挟持されるか、または、前記開口延長アダプター（６２）が前記ファイル（８）の収納開口部（１８）に挟持されて設けられたことを特徴とする着脱係止収納アダプターユニット（１）。
【発明の詳細な説明】
【技術分野】
【０００１】
本発明は、主として、自由度の高い収納具に関する。
【背景技術】
【０００２】
従来から雑貨等の収納には多種多様な収納具が提案されている。係る収納具は機能的に収納するものから、収納効率よりもお洒落や装飾を目的とした収納具も存在する。しかしながら、様々な収納物の形状や量に合わせて、容易に自在にその収納物に合わせて自在に形状をフィットさせ、収納スペースの省スペース化を図ったり、収納物の落下を防止したり、スリを抑制可能としたり、収納された書類を、座屈することなく容易に自立可能とする等、様々な応用、有用性を備えた収納具は皆無といえ、そうした課題を解決しうる技術が求められているといえる。
【０００３】
そこで、従来からも種々の技術が提案されている。例えば、特許文献１には、発明の名称を「磁石収納部付ホルダー」とする技術が開示され、公知技術となっている（特許文献 １参照）。具体的には「矩形状で二枚合わせに重ねられたシートの、重ね合わされて隣接 するＬ二方向が閉鎖、対するＬ二方向が開放されているホルダーにおいて、ホルダーに磁石収納部を設ける」というものである。しかしながら、特許文献１に記載の発明は、ファイルの一部に設けた磁石にて、外側の他の物に係止するに過ぎず、前記問題の解決には至っていない。
【０００４】
また、特許文献２には、発明の名称を「マグネット付きカードケース」とする技術が開 示され、公知技術となっている（特許文献２参照）。具体的には「透明のポケット部の上 縁と下縁に、マグネットを内蔵した係止部を構成する」というものである。しかしながら、特許文献２に記載の発明も同様に、外側の他の物に係止する構成であるに過ぎず、前記問題の解決には至っていない。
【０００５】
また、特許文献３には、発明の名称を「掲示型プリント類収納ファイル」とする技術が 開示され、公知技術となっている（特許文献３参照）。具体的には「密着シートまたはマ グネットシートが付いた飾り板とプリント類を収納できる透明な複数プラスチックファイ ルを重ねて接着する。その透明プラスチックファイルの下方に、１枚ずつめくりやすいよ うに付箋が付いており、いつでもめくって見やすくなっている。なお、付箋には、密着シートやマグネットシートが付いているため、縦書きのプリントでも横書きのプリントでも 本発明品を回して使うことができ、縦開きにも横開きにも固定して見ることができるため ２枚のプリントを同時に掲示して見ることができる。」というものである。しかしながら 、特許文献３に記載の発明も同様に、外側の他の物に係止する構成であるに過ぎず、前記問題の解決には至っていない。
【０００６】
なお、本発明者は、発明の名称を「着脱係止収納具」とする技術で特許申請中であり、まだ公知とはなっていない。（特許文献４参照）具体的には「収納物を収納可能な中空領域を構成する構成シートの中空収納部の内面の面のうち、１面以上の面が、着脱シートＡであり、前記着脱シートＡは、それ自体の面が略全面的に着脱可能な機能を備えた構成シートであり、前記１面以上の面自体が、略全面において、前記収納物を着脱可能に着磁、または係着、または吸着可能に保持可能であるか、または、向かい合う構成シート（10）である着脱材Ｂと着脱可能に着磁、または係着、または吸着可能に保持可能であることによって、可とう性を有する略シート状の素材から成る１以上の構成シートが、前記収納物を保持可能に前記着脱係止収納具内に保持する構成とさせる」というものである。しかしながら、係る発明は、中空収納部の内面の面のうち、１面以上の面の略全面が、着磁、または係着、または吸着可能に保持可能である構成であるという、限定的な構成であり、発明者は、より広い応用、活用範囲、よりシンプルあるいは多彩な部材、構造、及び、より発展的な部材、構造とその製造方法を開発するといった課題も追及すべきといえる。
【先行技術文献】
【特許文献】
【０００７】
【特許文献１】特開２００９−６９２４４号
【特許文献２】実開平６−３６７６号
【特許文献３】特開２００４−２４９７２４号
【特許文献４】特願２０１９−０４９８１２
【発明の概要】
【発明が解決しようとする課題】
【０００８】
収納した収納物の保護や検索性、認知性の効率アップをはかる自由度の高い収納具を提供する。
【課題を解決するための手段】
【０００９】
本発明に係る
着脱係止収納アダプターユニット（１）は、
着脱係止収納具（６６）と、開口係止部アダプター（６０）からなり、
前記着脱係止収納具（６６）は、
収納物（Ｓ）を収納可能な中空領域である  中空収納部（７）が、可とう性を有する略シート状の素材から成る１以上の構成シート（１０）からなる収納具であり、
前記着脱係止収納具（６６）は、 ポケット（２）またはファイル（８）であり、
前記中空収納部は開口可能な  収納開口部（１８）を備え、
前記収納開口部（１８）、または前記中空収納部（７）内から前記収納開口部（１８）から突き出るようにして開口係止部アダプター（６０）を備えることが可能で、
前記開口係止部アダプター（６０）は着脱係止部（１０７）を備え、前記前記着脱係止収納具（６６）の前記収納開口部（１８）に着脱可能に係止され、
前記開口係止部アダプター（６０）は、開口延長アダプター（６２）または名札（７０）であり、
前記開口延長アダプター（６２）は、前記収納開口部（１８）の位置を、延長可能にする部材であり、
一重の板材、または一重または二重以上に重複して設けられた構成シート（１０）から成る
構成を採用する。
【００１０】
また、本発明は、前記着脱係止収納具（６６）が、前記収納開口部（１８）または前記構成シート（１０）の中空収納部（７）の内面に着脱係止部（１０７）を備え、前記開口係止部アダプター（６０）と着脱可能に係止可能である構成を採用することもできる。
【００１１】
また、本発明は、前記着脱係止収納具（６６）が、前記構成シート（１０）の中空収納部（７）の内面に着脱係止部（１０７）を備えた
構成を採用することもできる。
【００１２】
また、本発明は、前記開口延長アダプター（６２）が、一重構造である構成を採用することもできる。
【００１３】
また、本発明は、前記開口延長アダプター（６２）が、略筒状であるかまたは構成シート（１０）が二重に設けられている構成を採用することもできる。
【００１４】
また、本発明は、前記開口延長アダプター（６２）が、構成シート（１０）が三重に以上に設けられている
構成を採用することもできる。
【００１５】
また、本発明は、前記開口係止部アダプター（６０）が、開口延長アダプター（６２）であり、着脱係止収納具（６６）と着脱可能に係止可能な着脱係止部（１０７）を備え、前記開口延長アダプター（６２）は、落下抑止部（６３）を備え、前記落下抑止部（６３）は、前記中空収納部（７）に収納された収納物（Ｓ）の落下を抑止する為の前記着脱係止部（１０７）が設けられた面と反対側の面に設けられた凸部である構成を採用することもできる。
【００１６】
また、本発明は、前記着脱係止収納具（６６）または前記開口延長アダプター（６２）の収納開口部の内側に、前記収納開口部、または前記収納開口部と開口延長アダプター（６２）に挟み込まれて、着脱係止部（１０７）に着脱可能に収納名札（５１）または名札（７０）を備えた構成を採用することもできる。
【００１７】
また、本発明は、前記着脱係止収納具（６６）が、ファイル（８）である構成を採用することもできる。
【００１８】
また、本発明は、前記着脱係止収納具（６６）が、ファイル（８）であり、前記ファイル（８）または開口延長アダプター（６２）が、着脱係止部（１０７）を備え、互いに一部を重複する様にして着脱可能に係止され、前記ファイル（８）の 中空収納部（７）から、前記開口延長アダプター（６２）の 中空収納部（７）にかけて、収納物（Ｓ）を収納可能である構成を採用することもできる。
【００１９】
また、本発明は、前記着脱係止収納具（６６）が、ファイル（８）であり、前記ファイル（８）または開口延長アダプター（６２）の略端部に設けられたシート係止部（２０）または対面曲折部（６９）に係止切欠き部（６１）を備えるか、または、前記係止切欠き部（６１）において、構成シート（１０）を切り欠いた段差を備えたことによって、前記ファイル（８）及び開口延長アダプター（６２）のシート係止部（２０）あるいは対面曲折部（６９）が互いに干渉せずに重複させて着脱可能に係止可能である構成を採用することもできる。
【００２０】
また、本発明は、前記着脱係止収納具（６６）が、ファイル（８）であり、前記ファイル（８）または開口延長アダプター（６２）の収納開口部に、タブ係止部（６８）を備え、前記タブ係止部（６８）は、タブ状の着脱係止部（１０７）であり、前記タブ係止部（６８）にて、前記ファイル（８）及び前記開口延長アダプター（６２）が互いに着脱可能に係止される構成を採用することもできる。
【００２１】
また、本発明は、前記タブ係止部（６８）が、二重以上に設けられた前記ファイル（８）または開口延長アダプター（６２）の構成シート（１０）の内一枚以上の構成シート（１０）に、１枚の構成シート（１０）あたり二か所以上に設けられた構成を採用することもできる。
【００２２】
また、本発明は、二重以上に設けられた前記ファイル（８）または開口延長アダプター（６２）の構成シート（１０）の、対向する構成シート（１０）に設けられた前記タブ係止部（６８）が、互いに重ならないように互い違いに設けられた構成を採用することもできる。
【００２３】
また、本発明は、前記着脱係止収納具（６６）が、ファイル（８）であり、二重以上に設けられた前記ファイル（８）または開口延長アダプター（６２）の構成シート（１０）の、二重以上に設けられた前記構成シート（１０）の内の１つの構成シート（１０）のみに着脱係止部（１０７）を備え、該着脱係止部（１０７）によって、前記ファイル（８）及び開口延長アダプター（６２）が互いに着脱可能に係止され、前記二重以上に設けられた前記構成シート（１０）の内、着脱係止部（１０７）を備えない構成シート（１０）の内少なくとも１つの構成シート（１０）が、前記着脱係止部（１０７）を備えた構成シート（１０）と合わせて、前記ファイル（８）及び開口延長アダプター（６２）の構成シート（１０）同士で重複する構成を採用することもできる。
【００２４】
また、本発明は、前記着脱係止収納具（６６）が、ファイル（８）であり、前記着脱係止収納具（６６）または前記開口延長アダプター（６２）の収納開口部の内側に、挟み込むようにして、着脱係止部（１０７）に着脱可能に収納名札（５１）を備えた構成を採用することもできる。
【００２５】
また、本発明は、前記ファイル（８）を構成する前記構成シート（１０）が、前記中空収納部７を構成する構成シート（１０）の内側及び、前記中空収納部（７）を構成する前記構成シート（１０）の外側の両面に、着脱可能に係止可能な着脱係止部（１０７）を備え、前記ファイル（８）が互いに係止することによって、互いに支え合い、自立可能である構成を採用することもできる。
【００２６】
また、本発明は、前記着脱係止収納具（６６）は、ファイル（８）であり、前記開口延長アダプター（６２）が、略Ｌ字または略台形または三角形である構成を採用することもできる。
【００２７】
また、本発明は、前記着脱係止収納具（６６）は、 ポケット（２）であり、前記開口延長アダプター（６２）が着脱係止部（１０７）を備え、前記ポケットの 収納開口部（１８）１８の中空収納部（７）側に設けられた着脱係止部（１０７）と着脱可能に係止される構成を採用することもできる。
【００２８】
また、本発明は、前記着脱係止収納具（６６）が、 ポケット（２）であり、前記開口延長アダプター（６２）は着脱係止収納具（６６）と着脱可能に係止可能な着脱係止部（１０７）を備え、前記開口延長アダプター（６２）は、落下抑止部（６３）を備え、前記落下抑止部（６３）は、前記中空収納部（７）に収納された収納物（Ｓ）の落下を抑止する為の前記着脱係止部（１０７）が設けられた面と反対側の面に設けられた凸部である構成を採用することもできる。
【００２９】
また、本発明は、前記着脱係止収納具（６６）が、 ポケット（２）であり、前記開口延長アダプター（６２）は、着脱係止収納具（６６）と着脱可能に係止可能な着脱係止部（１０７）を備え、前記開口延長アダプター（６２）は、可撓性のシート状部材からなる一重構造であり、湾曲制御部（６５）を備え、前記湾曲制御部（６５）は、前記開口延長アダプター（６２）が一定方向に湾曲するように制御する構造部である構成を採用することもできる。
【００３０】
また、本発明は、前記着脱係止収納具（６６）が、 ポケット（２）であり、前記開口延長アダプター（６２）は、略筒状であるかまたは構成シート（１０）が二重に設けられている構成を採用することもできる。
【００３１】
また、本発明は、前記着脱係止収納具（６６）が、 ポケット（２）であり、前記開口延長アダプター（６２）は、着脱係止収納具（６６）と着脱可能に係止可能な着脱係止部（１０７）を備え、前記開口延長アダプター（６２）は、前記開口延長アダプター（６２）の 収納開口部（１８）に、マグネットシートを備えた構成を採用することもできる。
【００３２】
また、本発明は、前記着脱係止収納具（６６）が、 ポケット（２）であり、前記開口延長アダプター（６２）の外面に外面補助収納部（６４）を備え、前記外面補助収納部（６４）の収納開口部の外側に、着脱係止部（１０７）を備え、前記ポケット（２）の収納開口部の近傍に、前記外面補助収納部（６４）の 収納開口部（１８）を備えることが可能である構成を採用することもできる。
【００３３】
また、本発明は、前記開口延長アダプター（６２）が名札（７０）を備えた構成を採用することもできる。
【００３４】
また、本発明は、前記開口延長アダプター（６２）が名札（７０）を備え、前記名札（７０）が、前記外面補助収納部（６４）の 収納開口部（１８）に被さる様にして、備えられた構成を採用することもできる。
【００３５】
本発明に係る紙類挟持具はファイル（８）または開口延長アダプター（６２）であり、前記紙類挟持具は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、
前記構成シート（１０）の略端部に設けられたシート係止部（２０）または対面曲折部（６９）の略端部に係止切欠き部（６１）を備えるか、または、前記係止切欠き部（６１）において、構成シート（１０）を切り欠いた段差を備えたことによって、前記ファイル（８）及び開口延長アダプター（６２）のシート係止部（２０）あるいは対面曲折部（６９）が互いに干渉せずに重複させて着脱可能に係止可能である構成を採用する。
【００３６】
本発明に係る紙類挟持具はファイル（８）または開口延長アダプター（６２）であり、前記紙類挟持具は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、
前記ファイル（８）または開口延長アダプター（６２）の 収納開口部（１８）に、タブ係止部（６８）を備え、前記タブ係止部（６８）は、タブ状の着脱係止部（１０７）であり、前記タブ係止部（６８）にて、前記ファイル（８）及び前記開口延長アダプター（６２）が互いに着脱可能に係止可能である構成を採用する。
【００３７】
また、本発明は、前記タブ係止部（６８）が、二重以上に設けられた前記ファイル（８）または開口延長アダプター（６２）の構成シート（１０）の内一枚以上の構成シート（１０）に、１枚の構成シート（１０）あたり二か所以上に設けられた構成を採用することもできる。
【００３８】
本発明に係る前記紙類挟持具は開口延長アダプター（６２）であり、前記開口延長アダプター（６２）は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、
前記開口延長アダプター（６２）は、略Ｌ字または略台形または三角形である構成を採用する。
【００３９】
本発明に係る前記紙類挟持具はファイル（８）または開口延長アダプター（６２）であり、前記紙類挟持具は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、前記紙類挟持具を構成する前記構成シート（１０）が、前記中空収納部（７）を構成する構成シート（１０）の内側及び、前記中空収納部（７）を構成する前記構成シート（１０）の外側の両面に、着脱可能に係止可能な着脱係止部（１０７）を備え、複数の前記ファイル（８）が、前記構成シート（１０）の外側の面に備えられた着脱係止部（１０７）によって互いに係止することによって、互いが支え合い、自立可能である構成を採用する。
【００４０】
また、本発明は、前記紙類挟持具が開口延長アダプター（６２）であり、前記開口延長アダプター（６２）が、前記開口延長アダプター（６２）を構成する構成シート（１０）の外側の面に備えられた着脱係止部（１０７）によって、前記開口延長アダプター（６２）を備えた複数のファイル（８）が互いに係止することによって、前記開口延長アダプター（６２）を備えたファイル（８）が、互いに支え合い、自立可能である構成を採用することもできる。
【００４１】
本発明に係る着脱係止収納具（６６）である、ファイル（８）または開口延長アダプター（６２）に着脱可能に設けることが可能な収納名札（５１）は、前記着脱係止収納具（６６）の収納開口部（１８）の内側に着脱可能に設けることが可能であって、
着脱可能に開閉可能な前記収納開口部（１８）に挟持して保持される札挟持部（５２）を備え、前記札挟持部（５２）は、着脱シートＡ（１４）または着脱材Ｂ（１５）と着脱可能に、マグネットシート、またはマグネットラバーシート、またはスチールの板、またはスチールラバーシート、または面ファスナー、または自己吸着シートと吸着可能な平滑なシート、または板、または自己吸着シートであることにより、前記収納開口部（１８）が開いた際に脱落し難く、
前記着脱係止収納具（６６）は、収納物を収納可能な中空領域である中空収納部（７）が、可とう性を有する略シート状の素材から成る１以上の構成シート（１０）によって囲われてなる収納具である着脱係止収納具（６６）であって、前記中空収納部（７）は開口可能な収納開口部（１８）を備え、
前記構成シート（１０）によって囲われた中空収納部（７）の内面の面のうち、１面以上の面の一部または全部が、着脱シートＡ（１４）を備え、
前記着脱シートＡ（１４）は、該着脱シートＡ（１４）自体の面の一部または全面的に着脱可能な機能を備えた構成シート（１０）であり、
前記着脱シートＡ（１４）の面の一部または全面において、着脱可能に着磁可能なマグネットシート、または係着可能な面ファスナー、または吸着可能な自己吸着シートであり、着脱シートＡ（１４）が前記中空収納部（７）内で、向かい合う前記中空収納部（７）を構成する構成シート（１０）である着脱材Ｂ（１５）と着脱可能に着磁可能、または係着可能、または吸着可能であることによって、前記札挟持部（５２）を挟み込んで挟持して前記収納開口部（１８）に保持可能で、
前記着脱材Ｂ（１５）は可とう性を有する構成シート（１０）であり、前記着脱シートＡ（１４）と前記着脱材Ｂ（１５）は、相互の面同士で着脱可能に係止可能であり、前記収納開口部（１８）に設けられた着脱シートＡ（１４）と前記着脱材Ｂ（１５）に前記札挟持部（５２）を挟持して保持される構成を採用する。
【００４２】
また、本発明は、前記収納名札（５１）の名前を記載する表示面である名前入れ面（５３）が、前記札挟持部（５２）の面と平行方向でない面を備えている構成を採用することもできる。
【発明の効果】
【００４３】
本発明に係る着脱係止収納アダプターユニットあるいは係る着脱係止収納アダプターユニットを構成する部材によれば、例えばファイルやポケット等において、サイズの違う、つまり、大きめの書類や収納物を収納する際にも、対応可能で、係る書類や収納物を破損せず、安全に収納可能であるという優れた効果を発揮する。
【００４４】
本発明に係る着脱係止収納アダプターユニットあるいは係る着脱係止収納アダプターユニットを構成する部材によれば、特に収納物が書類であるファイルにおいて、係るファイルを沢山並べたり、積載して置いても検索容易で、収納物がばらばらにこぼれ落ち難く、且つ、ファイル穴等も空けずに手軽に保管可能であるという優れた効果を発揮する。
【００４５】
本発明に係る着脱係止収納アダプターユニットあるいは係る着脱係止収納アダプターユニットを構成する部材によれば、書類や収納物が雨等でも濡れにくいという優れた効果を発揮する。
【００４６】
本発明に係る着脱係止収納アダプターユニットあるいは係る着脱係止収納アダプターユニットを構成する部材によれば、書類や収納物を保護し、傷みにくいという優れた効果を発揮する。
【００４７】
本発明に係る着脱係止収納アダプターユニットあるいは係る着脱係止収納アダプターユニットを構成する部材によれば、例えば、書類ファイルである係る収納具とすることによって、収納した紙媒体が垂れたり、座屈したりして傷んだりせず、自立可能であり、また、省スペースに書類を整理可能で、また、書類の分類、整理が容易になるという優れた効果を発揮する。
【図面の簡単な説明】
【００４８】
【図１】本発明に係る着脱係止収納ユニットの基本構成説明図である。
【図２】本発明に係る着脱係止収納ユニットの異形の開口延長アダプターの構成例の説明図である。
【図３】本発明に係る着脱係止収納ユニットのバリエーションの例の構成説明図である。
【図４】本発明に係る着脱係止収納ユニットの、ファイルの自立と名札の構成の説明図である。
【図５】本発明に係る着脱係止収納ユニットが、一重でポケットタイプの例の説明図である。
【図６】本発明に係る着脱係止収納ユニットが、略筒状の構成の説明図である。
【図７】本発明に係る着脱係止収納ユニットが、開口延長アダプターに名札を備えた構成の説明図である。
【図８】本発明に係る着脱係止収納ユニットが、名札を備えた構成の説明図である。
【発明を実施するための形態】
【００４９】
本発明に係る着脱係止収納アダプターユニット１は、着脱係止収納具６６と、開口係止部アダプター６０が互いに着脱可能に係止されて構成され、
係る着脱係止部１０７が互いに係止される構成であることによって発揮される効果を最大の目的と特徴とするものである。
【００５０】
以下、図面に基づいて本発明に係る着脱係止収納アダプターユニット１について説明する。但し、図面に示した形状や配置構成等についてはあくまでも例示であり、限定せず、本願発明の特徴的な効果が発揮される範囲において変更することを可能とする。
また、以下の各図のそれぞれの構成、説明は、代表的にその図面で係る構成、説明をしたものに過ぎず、その他の図面の構成に対しても、それぞれ、互いにそれぞれの構成、説明は応用可能であるものである。
【００５１】
図１の構成の例は、着脱係止収納アダプターユニット１が、着脱係止収納具６６であるファイル８と、開口係止部アダプター６０によって構成される例である。
係る着脱係止収納アダプターユニット１は、係るファイル８において、着脱係止部１０７である対面した構成シート１０が着脱係止部１０７を備えるか、または開口係止部アダプター６０である開口延長アダプター６２が着脱係止部１０７を備え、係るファイル８の着脱係止部１０７においては、係るファイル８を構成する対面した構成シート１０が着脱係止部１０７である着脱シートＡ１４と着脱材Ｂ１５を備え、対面した係る着脱シートＡ１４と着脱材Ｂ１５によって、挟まれた中空収納部７に収納物Ｓが収納可能で、係る中空収納部７が、係る着脱シートＡ１４と着脱材Ｂ１５が略全面的に着脱可能に係止可能であることによって、係る収納物Ｓが、容易には脱落しないように保持可能である構成の例である。
【００５２】
図１（ａ）の構成の例は、収納物Ｓが例えば紙の資料であり、係る紙の資料が、対面した着脱シートＡ１４と着脱材Ｂ１５によって構成されるファイル８に挟まれ、係るファイル８は、縦方向の左側の辺と横方向の下側の辺に  シート係止部２０を備え、係る左側と下側の  シート係止部２０によって、係る  シート係止部２０を下方に位置して保持することによって、係る資料は重力方向である下側には絶対に落下しない構成であり、且つ、係る資料は、右側と上側も、または、着脱シートＡ１４と着脱材Ｂ１５によって着脱可能に係止されることによって、係る資料の全周が係止されて係る資料は、挟持される状態となり、係る資料は、係るファイル８から、脱落し難く保持されることが可能であり、且つ、上側と右側の辺が着脱可能であることによって、ファイル８も開きやすく、資料を出し入れし易い構成であり、有用である。
【００５３】
また、係るファイル８は、略全体が着脱材Ｂ１５で構成されることによって、係る収納物Ｓを、どのような向きで係る中空収納部７に収納されても、着脱シートＡ１４側と係止可能に接触可能な構成となっており、有用である。
【００５４】
係る着脱シートＡ１４と着脱材Ｂ１５の構成の組み合わせは、例えば、着脱シートＡ１４が着脱シートＡ１４の一種であるマグネットシートであり、着脱材Ｂ１５が、係る着脱シートＡ１４と着脱可能に係止可能なマグネットシートまたはスチールラバーシートである構成の例である。
スチールラバーシートは、例えば鉄粉がラバー素材に混錬された可撓性の着磁可能なシートであり、またはスチールの薄膜を用いた構成でも良いし、またはラバーの代わりにエラストマー樹脂に鉄粉を混錬させても良いし、その他、本発明の技術的思想の範囲内、即ち、同一の作用効果を発揮できる範囲内で限定しない。
【００５５】
尚、係る着脱シートＡ１４が自己吸着シートや面ファスナーの場合は、係る着脱シートＡ１４と着脱材Ｂ１５の上から押さえないと十分に互いが係止される強度が発揮されない場合があるのと比較して、係る着脱シートＡ１４がマグネットシートの場合は、特に係る着脱シートＡ１４と着脱材Ｂ１５の上から押さえなくても、離れた位置からの吸着力が発揮されて係止され易いので、収納物Ｓの脱落の心配は少なくなり、有用である。
尚、係る収納物Ｓは、破線にて記載されて、符号が割り当てられている。
【００５６】
係る構成によって例えば、一般的な可撓性樹脂でできた、同様に２方向が開放なクリアファイル８だと、誤って、重要な資料が抜け落ちるような心配も軽減することが可能であり、しかも、挟み込む手間も掛からず、有用である。
また、係る構成シート１０が、図１（ｄ）に示される様に、略全面にて着脱可能に係止可能であることによって、係る収納物Ｓのサイズや形状が変わっても、安定的に脱落し難く、また、係る着脱係止収納アダプターユニット１内で、収納物Ｓが暴れることなく保持可能であり、また、収納物Ｓの全面が覆われているので、例えば、係る収納物Ｓが紙等の資料の場合、移動の際に傷めることも無く、有用である。
【００５７】
尚、係る図面において、右上の構成シート１０がめくられているのは、係る構成シート１０が二重に設けられていることを分かり易くする為である。
ドット模様部が、互いに着脱可能に係止可能な着脱係止部１０７、または着脱シートＡ１４あるいは着脱材Ｂ１５ を示している。
尚、係る図１（ｌ）は、図１（ａ）と同等の構成の例の縦断面図である。  
【００５８】
着脱シートＡ１４は、それ自体の面が略全面的に着脱可能な機能を備えた構成シート１０であり、マグネットシートであっても良いし、面ファスナーでも良いし、自己吸着シートでも良く、その他、本発明の技術的思想の範囲内、即ち、同一の作用効果を発揮できる範囲内で限定しない。
着脱材Ｂ１５は、着脱材Ａに対して着脱可能に係止可能な可撓性シート材あるいは板材であり、着脱材Ａがマグネットシートである場合は、スチールラバーシートやスチールの板材やマグネットラバーシートと着磁して係止可能とするものであり、着脱材Ａが面ファスナーである場合は、着脱材Ａと係止可能に対を成す面ファスナーが係着して係止可能とするものであり、また、着脱材Ａが自己吸着シートである場合は、係る自己吸着シートが係止可能な平滑なシート状の板等、例えば平滑な金属板、木板、ゴムシート、樹脂シート等と吸着して係止可能とするものであり、その他、本発明の技術的思想の範囲内、即ち、同一の作用効果を発揮できる範囲内で限定しない。
また、自己吸着シートは、被着体に対して、素材自体が吸着し、粘着剤や糊を使用せずに貼り付けが可能なシートであり、微細な吸盤による吸着、ジェル状による吸着でも良く、その他本願発明の特徴的な作用、効果が発揮される範囲において変更することが可能であり、限定しない。
【００５９】
構成シート１０は、係る中空収納部７を構成する可撓性の素材によるシートであり、着脱シートＡ１４または可撓性シートである着脱材Ｂ１５は、係る構成シート１０の一種であり、その他、係る構成シート１０の素材は、可とう性を有したシート状で、テント生地やメッシュ生地等の布状部材、他各種繊維素材、各種ゴムや各種樹脂シート製、綿、麻等の天然素材、紙製、金属メッシュ等金属、また、色も透明、蛍光、光っても良く、その他、必要に応じた強度、機能を有し、本発明と同一の作用効果を発揮できる範囲内でその素材を限定しない。
また、構成シート１０から成る開口延長アダプター６２においても、係る構成シート１０によって挟まれた領域は、中空収納部７である。
【００６０】
尚、着脱材Ｂ１５の構成の内、係る着脱材Ｂ１５が板状材の場合も、係る構成シート１０あるいは着脱シートＡ１４と一緒に、係る中空収納部７を構成するものである。
係る着脱材Ｂ１５が可撓性である場合、可撓性であることによって、係る着脱係止収納アダプターユニット１全体が柔軟性を備えることにより、係る着脱シートＡ１４と着脱材Ｂ１５が収納物Ｓの形状により柔軟に追従し、また、より柔軟に形状に追従可能である為に、係る着脱シートＡ１４と着脱材Ｂ１５がよくなじみ、より少ない応力で密着可能であることによって、より、しっかりした係止強度を備えることが可能であり、また、財布や衣類のポケット２等においては、体等の動きや形に合わせてより柔軟に追従可能であるので、違和感も少なく、あるいは破損もし難く、有用である。
また、係る着脱材Ｂ１５が板材である場合、係る着脱係止収納アダプターユニット１全体が例えば、ファイル８の場合、より、係るファイル８を立てて保管し易く、また、係るファイル８を立てた際も、収納された紙や資料が、係る着脱シートＡ１４と着脱材Ｂ１５によって密着して挟持されている為、座屈し難く、有用である。
【００６１】
また、構成シート１０の形状は、多角形、丸、楕円、その他異形でも、長さ、大きさ違いの組み合わせ違いでもよく、その形状を限定せず、また、厚さも、本発明と同一の作用効果を発揮できる範囲内で限定しない。
尚、九十九折り線で示した  シート係止部２０は、構成シート１０が、縫製や接着、融着、ステープラー等によって強固に係止されるものである。
図１（ｂ）の構成の例は、図１（ａ）と同等のファイル８に、図１（ａ）の収納物Ｓよりもサイズの大きい収納物Ｓが収納された構成の例であり、係る収納物Ｓは、上側と右側に突き出て収納されている構成である。
係る構成の様に、図１（ａ）の構成の例のファイル８に、係るファイル８よりもサイズの大きな収納物Ｓを収納しようとすると、この様にファイル８からはみ出てしまうことを示す構成の例であり、係るファイル８からはみ出てしまうと、係る収納物Ｓを傷めてしまうこととなり、好ましくないものである。
例えば、係る収納物Ｓは、図１（ａ）の構成の例の収納物ＳがＡ４の書類であると、図１(ｂ)の構成の例の収納物Ｓは、Ａ４の書類を入れた封筒であったり、Ａ３用紙であったりする。
【００６２】
図１（ｃ）の構成の例は、図１（ｂ）と同等のファイル８に、２つの開口係止部アダプター６０が設けられた構成の例である。
係る開口係止部アダプター６０は、開口延長アダプター６２であり、係る開口延長アダプター６２は、係るファイル８の上側の収納開口部１８の位置を延長する様にして設けられており、係る開口係止部アダプター６０は、構成シート１０による二重構造であり、係るファイル８と同様に、略全面を係るファイル８と着脱可能に係止可能な、着脱係止部１０７である着脱シートＡ１４と着脱材Ｂ１５が略全面的に着脱可能にて構成された構成の例であり、係るファイル８の上側と右側に、係る開口延長アダプター６２の一辺側をそれぞれ係るファイル８の収納開口部１８に挟まれる様にして設けられることによって、係るファイル８の収納開口部１８を延長し、係るファイル８の収納開口部１８の位置を上側と右側に広げて、図１（ｂ）の構成の例のはみ出た資料を係る開口延長アダプター６２の部分が挟持して、係る書類をしっかりと覆って保管可能とした構成の例であり、ファイル８のサイズを自由にサイズ調整可能で、収納する書類等のサイズや量に合わせて、係るファイル８のサイズを調整可能であり、有用である。
【００６３】
尚、係る開口延長アダプター６２は、図１（ｃ）の構成の例においては、着脱シートＡ１４と着脱材Ｂ１５の両方に着脱可能に係止可能な構成の例であるが、係る開口延長アダプター６２は、着脱シートＡ１４または着脱材Ｂ１５のどちらかの着脱可能に係止可能な構成としても良い。
尚、係る開口延長アダプター６２は、係るファイル８の収納開口部１８に挟み込まれる構成の例であるが、係る開口延長アダプター６２が、係るファイル８の収納開口部１８を挟み込む構成としても良い。
収納開口部１８は、構成シート１０に挟まれた領域である中空収納部７から、係る構成シート１０が略端部に シート係止部２０または対面曲折部６９を備えず、開放または開口されて、係る中空収納部７から収納物Ｓを出し入れ可能な開口部である。
【００６４】
図１（ｄ）の構成の例は、図１（ｃ）の構成の例の開口係止部アダプター６０である、開口延長アダプター６２を、ファイル８の収納開口部１８の封をするようにして挟持して設けた構成の例である。
この様にして、係る開口延長アダプター６２を、ファイル８の収納開口部１８の延長として使用しない場合は、この様にして、ファイル８の収納開口部１８が勝手に開いて中の書類が飛び出てしまわないように、係る開口延長アダプター６２をファイル８の開口部を挟むようにして設け、特に、一般的なクリアファイル８等のそのような収納開口部１８の係止構造を備えないようなファイル８の収納開口部１８を、特に係る収納開口部１８の外側に被せるようにして挟むことによって、係る収納開口部１８から書類が勝手に落ちてしまわず、大切な書類等を失ってしまう様なリスクも軽減でき、有用である。
【００６５】
図１（ｅ）の構成の例が、一般的なクリアファイル８等の様に、収納開口部１８の係止構造を備えないファイル８に係る開口延長アダプター６２を設けた構成の例である。
また、係る開口延長アダプター６２は、このように一般的なクリアファイル８の様なファイル８の収納開口部１８に設けることによって、係るクリアファイル８等の収納開口部１８の係止構造を備えないようなファイル８の収納開口部１８を延長する構成とすることも可能であり、有用である。
但し、係る構成の場合係るファイル８と開口延長アダプター６２の間では、係止されておらず、開口延長アダプター６２自身の着脱シートＡ１４と着脱材Ｂ１５の係止力のみの、挟持する力のみによるものであるので、例えば、係る開口延長アダプター６２とファイル８との重複量を大きくしたり、係る開口延長アダプター６２の一部を長くしたり、係る開口延長アダプター６２を係るファイルの内側に設ける構成として、より、係る開口延長アダプター６２とファイル８との係止強度を強くする構成としても良く、限定しない。
【００６６】
図１（ｆ）の構成の例は、図１（ｂ）の構成の例におけるファイル８に収納されている資料が、横向きに収納されている構成であり、横向きに収納された係る書類の係るファイル８から飛び出た部分を係る開口延長アダプター６２で係るファイル８の収納開口部１８を延長して、挟持した構成の例である。
係る構成は、例えば、Ａ４の書類を封筒に入れて、一般的なＡ４用のファイル８でははみ出てしまう場合の保管や、運びたい時に、係る封筒を傷めず、有用である。
【００６７】
図１（ｇ）の構成の例は図１（ｆ）の構成の例の開口延長アダプター６２の例である。
係る開口延長アダプター６２は、重複して設けられた構成シート１０が、着脱シートＡ１４と着脱材Ｂ１５から成り、互いに着脱可能であり、係る着脱シートＡ１４と着脱材Ｂ１５の  シート係止部２０あるいは折り返し部の  シート係止部２０が、係構成シート１０の端まで係止されていない、係止切欠き部６１をそなえ、係る係止切欠き部６１にて、係るファイル８と一部を重複して互いに係止される際に、係る シート係止部２０の逃げ部となって、係るファイル８と開口延長アダプター６２の シート係止部２０が、図１（ｆ）の構成の例の様に、略直線に配置可能となるものであり、余計な出っ張り等が発生せずに、有用である。
【００６８】
図１（ｇ）の構成の例の係止切欠き部６１は、 シート係止部２０が係る端まで係止されていないだけでなく、構成シート１０も、切欠かれて段差を備えた構成であり、図１（ｆ）の構成の例の様に、余計な出っ張り等が発生せずに、係る開口延長アダプター６２をファイル８に係止可能とするものであり、有用である。
また、係る係止切欠き部６１は、図１（ｎ）の構成の例の様に、対面曲折部６９を備えた構成の場合も同様に、係る重複した構成シート１０の端部で係止切欠き部６１と同等の形状になる様に、対面曲折部６９を切り欠いた構成としても良いし、構成シート１０も、切欠かれて段差を備えた構成としても良い。
【００６９】
図１（ｈ）の構成の例は、係るファイル８との係止部のみ、着脱シートＡ１４と着脱材Ｂ１５である構成の例である。
【００７０】
図１（ｉ）の構成の例は、図１（ｈ）の構成の例の構成シート１０の切り欠かれた段差が、斜めに切り欠かれた段差である構成の例である。
【００７１】
図１（ｊ）の構成の例は、ファイル８の係る シート係止部２０が係止切欠き部６１を備えている構成の例であり、係る係止切欠き部６１に、例えば図１（ｋ）の構成の開口延長アダプター６２を挿入して、係る開口延長アダプター６２とファイル８を係止可能とする構成の例である。
尚、係る図１（ｋ）の構成の例の開口延長アダプター６２は、隣合った辺を シート係止部２０にて係止された構成の開口延長アダプター６２であり、例えば、係る開口延長アダプター６２自体でも、小さな紙、例えば、メモやレシート等を保管するファイル８として使用することも可能であり、必要な時に、開口延長アダプター６２として用いることもでき、有用である。
【００７２】
図１（ｌ）の構成の例は図１（ａ）の構成の例のファイル８の縦断面図を示しており、係るファイル８に挟持して収納された係る収納物Ｓである書類の回りを、しっかりと着脱シートＡ１４及び着脱材Ｂ１５が係る書類の周囲で互いに係止して、しっかりと保持している状態を示しているものである。
【００７３】
図１（ｍ）は、図１（ａ）あるいは図１（ｃ）の構成の例の収納物Ｓが収納されていない構成のファイル８または開口延長アダプター６２の側方からの部分縦断面図であり、係る下方の辺が  シート係止部２０を備えていることによって、２つの構成シート１０が対面している構成を示しており、図１（ｎ）の構成の例は、係る下方の辺が、曲折されることによって、２つの構成シート１０が対面している、対面曲折部６９を備えた構成を示しており，係る図１（ｎ）構成に示される様に、係る対面する構成シート１０は、１つの構成シート１０から成る構成としても良く、１つの構成シート１０を曲折する構成の方が、  シート係止部２０が少なくて良いので、製造時の作業工数の削減、及び、着脱係止収納アダプターユニット１の強度の面においても、より有用な構成である。
尚、係る図１（ｎ）構成に示される様に、１つの構成シート１０を曲折する構成においては、係る曲折することによって対面し着脱可能な構成シート１０が、一方が着脱シートＡ１４であり、もう一方が、着脱材Ｂ１５となるものである。
また、着脱シートＡ１４あるいは着脱材Ｂ１５は、伸縮性のある構成とすることによって、密着のし易さを高め、より、着脱可能な係止をし易く、且つ、強くすることが可能で、有用である。
【００７４】
図１（ｏ）は、図１（ｍ）の構成のファイル８または開口延長アダプター６２が、三重の構成シート１０からなる三重構造である構成の例である。
特に、開口延長アダプター６２が係る三重構造であることによって、二重構造のファイル８に係る三重構造の開口延長アダプター６２を設けることにより、係るファイル８の一部が三重構造になり、係る１つのファイル８の中で、書類の分別が可能となり、有用である。
例えば、ある１つのカテゴリーの書類を係るファイル８に保管する場合に、片方には提出用の書類、もう一方には参考資料の書類、といったように、１つのファイル８の中で分別することが可能となり、また、係る開口延長アダプター６２は、三重以上とすることによって、更にその分別の種類を分けることが可能となる為、有用である。
【００７５】
着脱シートＡ１４及び着脱材Ｂ１５は着脱係止部１０７であり、着脱係止部１０７は、互いに着脱して係止可能な部材であり、着脱係止部１０７は、着脱シートＡ１４あるいは着脱材Ｂ１５でも良いし、ホックでも良いし、嵌め合いでも、フックでも、ボタンでも、マグネットでも良く、その他、本発明の技術的思想の範囲内、即ち、同一の作用効果を発揮できる範囲内で限定しない。
また、係る着脱シートＡ１４及び着脱材Ｂ１５を備えた構成は、係る着脱シートＡ１４及び着脱材Ｂ１５の代わりに、係る収納開口部１８に係る着脱係止部１０７を備えた構成としても良い。
係るファイル８と着脱可能に係止される開口延長アダプター６２と、係るファイル８は、それぞれ、主に紙類の書類等を挟持する部材であり、紙類挟持具とする。
【００７６】
図１の各図の着脱係止収納アダプターユニット１の例については、ファイル８または開口延長アダプター６２のいずれかに係止切欠き部６１を備えているが、いずれにも係止切欠き部６１を備えない構成としても良い。
【００７７】
図２の構成の例は、係る開口延長アダプター６２が、略L字の構成の例であり、略L字の開口延長アダプター６２が、係るファイル８と係止されている構成の例である。
図２(ａ)の構成の例が、係るファイル８と略L字形の開口延長アダプター６２が係止した構成の例であり、この様に、係る開口延長アダプター６２がL字であることによって、係るファイル８と、より一体的に、がっちりと係止される構成であり、外れ難く、有用である。
【００７８】
図２(ｂ)の構成の例が、図２(ａ)の構成の例における略Ｌ字型の開口延長アダプター６２の構成の例であり、略全面が、着脱シートＡ１４と着脱材Ｂ１５で構成されている構成の例であり、係る開口延長アダプター６２においても、係る書類をしっかりと挟持して保持可能な構成であり有用である。
【００７９】
図２(ｃ)の構成の例が、係るファイル８と開口延長アダプター６２が互いに係止する部分だけ、係る開口延長アダプター６２が着脱係止部１０７である着脱シートＡ１４と着脱材Ｂ１５を備えた構成の例である。
尚、図面には示されていないが、係る開口延長アダプター６２は、係るファイル８と開口延長アダプター６２が互いに係止する部分だけ、係る開口延長アダプター６２が着脱係止部１０７あるいは着脱シートＡ１４と着脱材Ｂ１５を備えた構成の例であるが、係る開口延長アダプター６２の収納開口部１８となる側の辺側が、着脱係止部１０７あるいは着脱シートＡ１４と着脱材Ｂ１５を備えた構成としてもよく、係る構成の開口延長アダプター６２には、係るファイル８を、係る開口延長アダプター６２の中空収納部７に挿入して設ける構成としても良く、係る構成とすることによって、係るファイル８が、係る開口延長アダプター６２に嵌め込まれる様にして着脱可能に係止して設けられるような構成となり、互いに外れ難い構成とすることが可能であり、有用である。
【００８０】
図２(ｄ)の構成の例は、係るL字状の開口延長アダプター６２が、図１（ｃ）の様な２枚の略長方形の開口延長アダプター６２が、組み合わされて係るL字形状の開口延長アダプター６２を形成する構成の例である。
係る構成とすることによって、係る略長方形の形状の開口延長アダプター６２を用いない構成等とした際に、係る開口延長アダプター６２の構成の自由度が増し、有用である。
【００８１】
図２(ｅ)の構成の例が、係る開口延長アダプター６２が、略台形あるいは略三角形の構成の例である。
係る開口延長アダプター６２が、係る略台形あるいは略三角形であることによって、略Ｌ字形状であるよりも、更に係るファイル８との係止力がアップし、有用である。
係る略台形あるいは略三角形あるいは略Ｌ字型の開口延長アダプター６２は、例えば、係るファイル８が、クリアファイル等の、着脱係止部１０７を備えないファイル８においても有効であり、図２（ａ）の構成の例の係るＬ字型の開口延長アダプター６２が係るファイル８の中空収納部７に挿入する様にして設けられているのに対して、係る開口延長アダプター６２の中空収納部７に、係るファイル８を挿入するようにして設ける構成としても、係るクリアファイルの二方向の収納開口部１８を延長しつつ、係る収納開口部１８を着脱可能に係止可能な構成の着脱係止収納アダプターユニット１とすることが可能であり、有用であり、また、係る構成とすることによって、係るファイル８が、係る開口延長アダプター６２に嵌め込まれる様にして着脱可能に係止して設けられるような構成となり、互いに外れ難い構成とすることが可能であり、有用である。
【００８２】
図２(ｆ)の構成の例が、係る開口延長アダプター６２が、タブ状の着脱係止部１０７を備えた構成の例であり、図２（ｆ）の構成の例においては、係るタブ状の着脱係止部１０７であるタブ係止部６８は、例えば自己吸着シートであり、係るファイル８は、係る自己吸着シートと着脱可能に係止可能な平滑な面を備えたクリアファイル８である例であり、係る開口延長アダプター６２が、図２（ｇ）の構成の例であり、また、係る図２（ｇ）の開口延長アダプター６２と同等の開口延長アダプター６２の左からの側面図が、図２（ｈ）である。
係る開口延長アダプター６２の本体の構成シート１０は、例えば、係るファイル８と同等のクリアな可撓性のシート部材で構成されることによって、意匠的にも係るクリアファイル８と一体的な構成となる。
【００８３】
図２（ｈ）に示される様に、係る開口延長アダプター６２には、長方形のタブ係止部６８が４か所に設けられており、二重に設けられた構成シート１０のそれぞれに２か所づつ係るタブ係止部６８が設けられ、それぞれのタブ係止部６８は、係る開口延長アダプター６２の内側の面に設けられている構成の例であり、係るタブ係止部６８は、係るファイル８と係止される際には、係るファイル８の内側、つまり、中空収納部７側にて係止される構成の例である。
この様に、係るファイル８の内側で係る着脱係止部１０７であるタブ係止部６８が係るファイル８と係止されることによって、係る係止された部分の係るファイル８と開口延長アダプター６２のつなぎ目の外面は、略フラットとすることができ、有用である。
【００８４】
また、係る着脱係止部１０７が、例えば図１（ｈ）の構成の例の開口延長アダプター６２の様に、上から下までつながっている構成の例の場合、係る開口延長アダプター６２が係るファイル８と係止された状態で、係る構成シート１０に書類を挟むべく、係る構成シート１０をめくった場合に、係るファイル８と開口延長アダプター６２の互いの係止部で歪ができて、どちらかの構成シート１０が弛んで皺になってしまうような場合もあり、図２（ｇ）の構成の例の様に、係る開口延長アダプター６２の着脱係止部１０７であるタブ係止部６８が、係る片面の構成シート１０あたり二か所あるいは二か所以上に設けられている構成であることによって、そのタブ係止部６８の間の隙間でそのような歪を吸収することが可能となり、そうした弛みや皺の発生を抑制することが可能な構成となり、有用である。
【００８５】
係る着脱係止部１０７は、その他、上から下までつながっている構成の着脱係止部１０７に、スリットを備える構成としても同様に係る歪を吸収可能な構成となり、有用である。
また、係る着脱係止部１０７あるいはタブ係止部６８は、図２（ｇ）の構成の例の様に、片面の構成シート１０あたり２枚でも良いし、それ以上備える構成としても良く、限定せず、また、係るタブ係止部６８は、図２（ｇ）の構成の例においては、開口延長アダプター６２の構成シート１０の内側の面に設けた構成となっているが、外側でも良いし、係る構成シート１０と略同一の面に備えた構成としても良い。
また、係るタブ係止部６８は、図面には示されていないが、ファイル８側に備えた構成としても良く、同様の有用性を奏するものである。
また、係るタブ係止部６８の形状は、四角形でも良いし、三角形でも良いし、略円弧状でも、長くても、大きくても、その他異形でも良く限定せず、本発明の技術的思想の範囲内、即ち、同一の作用効果を発揮できる範囲内で限定しない。
【００８６】
図２（ｉ）のタブ係止部６８は、係る開口延長アダプター６２の二重に設けられた、係る向かい合う構成シート１０のそれぞれに設けられたタブ係止部６８が、互いに対向して重複しないよう、互い違いに設けられた構成の例である。
係る構成とすることによって、向かい合ったタブ係止部６８が、係るタブ係止部６８同士が係止してしまうことがなく、係る開口延長アダプター６２を使いやすくなり、有用である。
尚、係る一番外のタブ係止部６８のみは、係る開口延長アダプター６２の端部が相手側のファイル８から外れてしまわないように、係る二重の構成シート１０の両方に設けられた構成となっている。
【００８７】
図２（ｊ）の着脱係止部１０７であるタブ係止部６８は、係る開口延長アダプター６２の二重に設けられた構成シート１０の、一方の構成シート１０のみに設けられた構成の例である。
係る開口延長アダプター６２は、係るタブ係止部６８が設けられた構成シート１０のみが、相手側のファイル８と係止され、もう一方のタブ係止部６８を備えない構成シート１０は、係るタブ係止部６８が係るファイル８に係止された際に、係るファイル８と重複可能に設けられていることによって、係るファイル８の内側に重複された状態で入り込み、係るファイル８と係るタブ係止部６８の部分とで挟持されることによって、係る開口延長アダプター６２の位置を保持可能とする構成の例である。
係る構成とすることによって、係るタブ係止部６８の数を減らすことが可能となり、製造コストを下げることが可能で、また、例えば係るファイル８に、挟まれる書類の数が増えてきた際にも、片側の構成シート１０が係止されていない構成であるので、挟む書類が増えても、歪ができ難く、書類の挟む量の変化にも、より柔軟に対応可能な構成となり、有用である。
【００８８】
図３の構成の例は、着脱係止収納アダプターユニット１が、ファイル８の構成のバリエーションの例である。
図３（ａ）は、図１（ａ）の構成のファイル８に、スリット２２が設けられており、係るスリット２２は、開放可能な上側と右側の辺部に近い部分に、係る辺に平行なスリット２２が、それぞれの辺に対して略平行に２列づつ、計１６か所設けられている構成である。
係るスリット２２は、例えば、Ａ４サイズの紙用のファイル８であれば、Ａ４サイズの紙のサイズに対応した位置に設けることによって、Ａ４サイズの一定の厚みのある資料などが収納される場合においても、対面した着脱シートＡ１４と着脱材Ｂ１５が、着脱可能に係止可能とするのを助けるものであり、また、Ａ５サイズ等、他のサイズの紙や資料が収納される場合もあるので、例えば、Ａ５サイズの紙の位置に対応した位置に係るスリット２２を設けることによって、複数の紙サイズに対して、対面した着脱シートＡ１４と着脱材Ｂ１５が、着脱可能に係止し易い構成となり、有用である。
【００８９】
図３（ｂ）は、図３（ａ）の構成と同等のファイル８において、左側の辺の  シート係止部２０側にも、２列に係る左側の辺に平行に１０か所のスリット２２が設けられており、係る左側の辺に垂直に１か所のスリット２２が設けられており、係るスリット２２と  シート係止部２０に囲われた中空収納部７に、１本の収納物Ｓであるペンが収納されている構成である。
係る構成の様に、想定される収納物Ｓに合わせて、スリット２２または穴や長穴を係る構成シート１０に設けることによって、係る対面した着脱シートＡ１４と着脱材Ｂ１５が、着脱可能に係止し易い構成となり、有用である。
【００９０】
図３（ｃ）の構成の例は、スリット２２を備えた本発明に係る着脱係止収納アダプターユニット１を構成可能なファイル８に、係るファイル８に収納された紙類を綴じる為の穴であるファイリング穴４０と、係るファイル８をまとめてファイリングする為の穴である、連結穴４１を備えた構成であり、係る左側の辺に設けられた  シート係止部２０の外側にあたる左側に、係る連結穴４１が備えられ、係る  シート係止部２０の右側の構成シート１０の内側に、係るファイリング穴４０が設けられた構成であり、係るファイリング穴４０あるいは連結穴４１によって、係る収納物Ｓやファイル８を、整理整頓し易い構成となっている。
【００９１】
また、ファイリング穴４０を備えることによって、係るファイリング穴４０に紐などを通して係るファイル８に収納された紙をまとめて閉じることによって、係るファイル８を開いた際に、誤って紙が飛んだりするのを防止することが可能となり、有用である。
【００９２】
図３（ｄ）及び図３（ｅ）の構成の例は、係る構成シート１０である着脱シートＡ１４あるいは着脱材Ｂ１５が、係るファイル８の収納開口部１８の内側に設けられた構成の例であり、図３（ｄ）の構成の例は、長方形のファイル８のうち、二辺が係止されている構成の例であり、他の二辺が着脱シートＡ１４及び着脱材Ｂ１５を備えた構成の例であり、図３（ｅ）の構成の例は一辺が着脱シートＡ１４及び着脱材Ｂ１５を備えた構成の例であり、係るファイル８は、係る着脱シートＡ１４あるいは着脱材Ｂ１５が設けられた辺側に、係る開口延長アダプター６２を係るファイル８と開口延長アダプター６２とを着脱可能に設けることが可能な構成となっている。
【００９３】
図３（ｆ）から図３（ｉ）は図３（ｄ）あるいは図３（ｅ）の構成の例のファイル８と係止可能な開口延長アダプター６２の構成の例であり、それぞれ、係るファイル８の収納開口部１８の内側の着脱シートＡ１４あるいは着脱材Ｂ１５と係止可能な構成の例である。
図３（ｆ）の開口延長アダプター６２は図１（ｈ）と同等の開口延長アダプター６２であり、図３（ｇ）の開口延長アダプター６２は、対向する二辺に シート係止部２０を備え、係る シート係止部２０の間を挿通させるようにして書類を係るファイル８に保管可能とする構成の例である。
つまり、2方向が開口しているファイル８を、1方向から シート係止部２０で係止された間に収納可能するという、元のファイル８とは違う形態のファイル８となり、また、収容する資料の量が増えた場合に、係るファイル８のサイズを大きくすることが可能な構成となり、有用である。
【００９４】
図３（ｈ）の構成の例の開口延長アダプター６２は、図３（ｇ）の構成の例の開口延長アダプター６２の収納開口部１８に着脱シートＡ１４あるいは着脱材Ｂ１５が設けられ、着脱可能に係止することによって、係る書類が係る収納開口部１８から落下しない構成の例である。
【００９５】
図３（ｉ）の構成の例の開口延長アダプター６２は、 シート係止部２０の対向側の辺が、着脱可能に設けられている構成であり、図３（ｇ）の構成の開口延長アダプター６２と同様、係る シート係止部２０を備えた辺との二辺の間で、係る書類を保管可能な構成であり、また、係る着脱可能な係止部を備えた辺の係止を外すことによって、係る辺側からも係る書類を取り出すことが可能な構成の例であり、書類の出し入れのバリエーションが様々なバリエーションで使い勝手や必要に応じて構成可能で、有用である。
【００９６】
図３（ｊ）の構成の例のファイル８の構成の例は、収納開口部１８の着脱シートＡ１４あるいは着脱材Ｂ１５が、中空収納部７の外側の面に備えられた構成の例である。
係る構成とすることによって、係るファイル８の中空収納部７への入口である収納開口部１８のスペースが、広くなり、有用である。
尚、一方、収納開口部１８の着脱シートＡ１４あるいは着脱材Ｂ１５が、中空収納部７の内側の面に備えられた構成の図３（ｄ）や図３（ｅ）の構成の例の収納開口部１８は、係る開口延長アダプター６２が外れ難い構成であり、有用であり、いずれの構成の収納開口部１８とするかは、必要に応じて、選択すべきものである。
【００９７】
図３（ｋ）の構成の例の開口延長アダプター６２は、図３（ｊ）の構成の例のファイル８に設ける構成の例の開口延長アダプター６２であり、係るファイル８の収納開口部１８の外側から挟み込むようにして係止して設ける構成の例である。
図３（ｌ）の構成の例の開口延長アダプター６２は、 シート係止部２０を備えない２枚の開口延長アダプター６２の例であり、係る２枚の開口延長アダプター６２を、それぞれ、係るファイル８の収納開口部１８を挟み込むようにして、設ける構成の例の開口延長アダプター６２の例である。
【００９８】
図４は、本発明に係る着脱係止収納アダプターユニット１であるファイル８における、係る構成シート１０が、係る中空収納部７を構成する構成シート１０の内側だけでなく、係る中空収納部７側と反対側の面、つまり、係る構成シート１０の外側の面においても、係る中空収納部７側と同様に、着脱可能に係止可能な面である構成とすることにより、他のファイル８等の着脱係止収納アダプターユニット１と着脱可能に係止可能となり、係るファイル８を、隣り合う他のファイル８と着脱可能に係止することにより、１つのファイル８では薄くて自立不可能であっても、立てて収納可能となり、また、係る中空収納部７が、対面した着脱シートＡ１４と着脱材Ｂ１５が、着脱可能に係止されることによって、係る着脱シートＡ１４と着脱材Ｂ１５によって紙が挟持される為、係る紙等の資料が少数枚でも、係る紙が立てられていても座屈し難く、自立可能となり、収納スペースの有効活用や、資料の整理がし易くなり、有用である。
【００９９】
係る中空収納部７が、対面した着脱シートＡ１４と着脱材Ｂ１５が、着脱可能に係止される、係る着脱シートＡ１４と着脱材Ｂ１５は、係る中空収納部７の略全面でも良いし、例えば、収納開口部１８付近だけでも良いが、より、係る収納される資料等の用紙が座屈しない程度に広い部分に、係る着脱シートＡ１４と着脱材Ｂ１５が設けられる方が、係るファイル８内で係る用紙が座屈し難く、望ましい。
【０１００】
また、図面には示されていないが、係るファイル８を、横向きに積んだ場合も、互いのファイル８が着脱可能に係止可能で、また、紙の形状や量に合わせて、ファイル８もなじむ為、より、鉛直に積み上げることが可能であり、且つ、ファイル８内でも着脱可能に係止されているので、高く積んでも、ファイル８が崩れ難く、より、高く積むことも可能となり、限られたスペースを、棚等の設置を最小限にして保管可能であるので、スペースの有効活用ができ、有用である。
【０１０１】
このように、例えば、係る着脱係止収納アダプターユニット１が紙の資料等を収納するファイル８の場合、収納する紙の量に応じて、ファイル８の厚さがジャストフィットして収納可能であるので、スペースを有効に活用でき、本立て等が無くても、係るファイル８を立てて収納可能であるし、また、係るファイル８が隣のファイル８と着脱可能に係止されているだけであるので、簡単に必要なファイル８を抜き出すことが可能であり、つまり、わざわざ、穴でファイリングされている場合、必要な資料までのファイル８を穴から抜き出してから、必要なファイル８を取り出し、また、その抜き出したファイル８を穴に通して戻すという、面倒なファイル８の出し入れの手間を削減可能で、様々な有用性を備えた構成である。
【０１０２】
例えば、面ファスナーや、自己吸着シートや、マグネットシート等、面で着脱可能に係止可能な面係止具で係るファイル８の外面に設けることによって、係るファイル８が互いに係止されて倒れ難くなり、有用であり、係る面係止具の構成は、その他、本発明の技術的思想の範囲内、即ち、同一の作用効果を発揮できる範囲内で限定しない。
【０１０３】
図４（ａ）の構成の例は、係る着脱係止収納アダプターユニット１であるファイル８が立てて保管されている構成の例であり、係る隣り合ったファイル８は、例えば、係る構成シート１０の外面が着磁可能なマグネットシートであることによって互いに着脱可能に係止されて、自立した構成の例であり、係るファイル８に収納された紙類も、係る、中空収納部７内で 対面した着脱シートＡ１４と着脱材Ｂ１５が、着脱可能に係止されることによって、しっかり挟持されて座屈し難く自立している構成の例である。
【０１０４】
また、係る構成シート１０の外面に備えられた着磁可能なマグネットシートは、マグネットシート以外の着脱係止部１０７としても良い。
また、図面には示されていないが、係る構成シート１０の外面に備えられた着脱可能な着脱係止部１０７は、係るファイル８に係止された開口延長アダプター６２の外面に設けられた構成としても良く、係る構成とすることによって、例えば、ファイル８が着脱係止部１０７を備えないクリアシート等の場合においても、係る着脱係止部１０７を外面に備えた係る開口延長アダプター６２を備えることによって、係る開口延長アダプター６２を備えた複数の着脱係止収納アダプターユニット１を隣り合わせて着脱可能に係止して、自立可能な着脱係止収納アダプターユニット１とすることが可能であり、有用である。
特に、係る開口延長アダプター６２が、略Ｌ字形あるいは略台形形状、あるいは略三角形状とすることによって、係る開口延長アダプター６２の中に、係るファイル８を嵌め込むようにして設けることが可能であるので、係るファイル８と係る開口延長アダプター６２が、より強く互いに係止可能であり、係る着脱係止収納アダプターユニット１の自立性が高まり、有用である。
【０１０５】
図４（ａ）は、係るファイル８の背表紙側から見た図の例であり、15冊のファイル８が立てられており、係る１５冊のファイル８の内、背表紙にファイル８名として、「○○営業所」と書かれたファイル８が一冊収納されている構成の例であり、係る背表紙は、対面した着脱シートＡ１４と着脱材Ｂ１５に挟まれて、係る  シート係止部２０に係る着脱シートＡ１４と着脱材Ｂ１５に係止されて設けられた構成の例である。
【０１０６】
図４（ｂ）は、係るファイル８の小口５０側から見た図の例であり、一番左のファイル８の小口５０に、「△△営業所」と書かれた札である収納名札５１が、係る対面した着脱シートＡ１４と着脱材Ｂ１５に挟持されて、着脱可能に設けられた構成の例である。
尚、係る収納名札５１は、係る収納開口部１８に着脱可能に係止して設けられる開口係止部アダプター６０である。
また、収納名札５１は、名札７０であり、係るファイル８またはファイル８の係止された開口延長アダプター６２に設けられた名札７０を、特別に収納名札５１と呼称するものである。
係る収納名札５１は、係る収納名札５１の札挟持部５２を備え、係る札挟持部５２の片面または両面は、着脱係止収納アダプターユニット１であるファイル８の着脱シートＡ１４または着脱材Ｂ１５と同等の材料を備えられていることによって、係る着脱シートＡ１４または着脱材Ｂ１５と着脱可能に係止可能であることにより、係るファイル８の小口５０部に挟持された係る収納名札５１は、 係る構成シート１０を開いた際にも脱落せず、また、係る収納名札５１の位置や付け替えも容易である為、例えば、収納する収納物Ｓによって、収納名札５１の付け替えも容易で、有用である。
【０１０７】
図４（ｃ）は、係る収納名札５１が挟持された部分の、部分横断面拡大図であり、係る収納名札５１は、札挟持部５２が係るファイル８の小口５０部において、係る構成シート１０に挟持され、係る小口５０部の略正面から視認可能に、係る札挟持部５２に備えられた名前入れ面５３を備え、本構成においては、係る名前入れ面５３が曲面である円筒状である構成の例である。
【０１０８】
図４（ｄ）は及び図４（ｅ）は、係る収納名札５１の形状のバリエーションの形状を示す横断面図の例であり、図４（ｄ）はＴ字の収納名札５１の例であり、係るＴ字の足の部分が札挟持部５２の構成であり、図４（ｅ）は、Ｌ字の収納名札５１の例であり、それぞれの名前入れ面５３には、係る札挟持部５２に対して平行方向でない面の部分を備えていることによって、係るファイル８に係る収納名札５１が設けられて、係るファイル８が立てて収納された際に、係る小口５０側の略正面から、係るファイル８名前入れ面５３を視認可能とする構成の例である。
【０１０９】
尚、係る名前入れ面５３は、名前を記載する表示面であり、図４（ｃ）の構成の例の様に、曲面でも良く、係る収納名札５１を係るファイル８に装着した状態で、視認可能な形状、あるいは構成であればよく、係る形状は、波型でも、Ｖ字型でも良く、係る札挟持部５２と直交方向または平行方向でない面を備えることによって、係る収納名札５１を設けた収納開口部１８の略正面側から係るファイル８名が視認可能で、有用であり、その他、本発明と同一の作用効果を発揮できる範囲内で限定しない。
【０１１０】
特に、例えば、一般的にクリアファイル８等を積み重ねたり、机に収納していても、係るファイル８の中に何のファイル８が入っているかが分かりにくいが、係る収納名札５１によって、容易に、そうした薄手のファイル８にも、係るファイル８をテープ等で汚すことなく着脱可能であるので、整理整頓がはかどり、また、必要な書類等の収納物Ｓの探索の時間節約ともなり、大変有用である。
【０１１１】
また、係る名前入れ面５３は、係る収納名札５１ の札挟持部５２と同一の面に備える構成としても良く、係る構成とすることによって、例えば、シャツのポケット２に簡単に着脱可能な収納名札５１となり、一般的な胸に着ける収納名札５１が安全ピンやクリップであるのに比べて、構造がシンプルで、着脱が容易で、クリップのタイプの様に、ポケット２の収納開口部１８に取り付けた際に、収納名札５１の重量により、ポケット２の生地が前に垂れて、名前が見え難いということも無く、有用である。
【０１１２】
係る収納名札５１を装着する位置は、構成シート１０が開閉可能な収納開口部１８の着脱可能に係止可能な挟持可能な部分であれば良く、ファイル８の背、または小口の他、天でも地でも良く、天または地に装着する場合は、係るファイル８の天または地を手前にして載置することが望ましい。
【０１１３】
また、係る収納名札５１ は、ファイル８以外の着脱係止収納アダプターユニット１の収納開口部１８に備える構成としても良く、手軽に着脱係止収納アダプターユニット１に着脱可能に収納物Ｓが認識可能となり、有用である。
係る収納名札５１ は、開口延長アダプター６２の収納開口部１８に備える構成としても良い。
【０１１４】
図５は、着脱係止収納アダプターユニット１がポケット２の例を示している。
図５（ａ）は、一方向のみに収納開口部１８を備えた衣類であるシャツのポケット２の構成の例であり、図５（ｃ）が係る構成と同等の側面からの断面図であり、図５（ｄ）が、係る着脱係止収納アダプターユニット１に、収納物Ｓが収納された構成の例の断面図であり、係る着脱係止収納アダプターユニット１の開口延長アダプター６２に支えられながら、収納物Ｓが収納された構成の例であり、図５（ｅ）の構成の例が係る開口延長アダプター６２の構成の例の斜視図である。
【０１１５】
係るポケット２は、係る収納開口部１８に着脱係止部１０７である着脱シートＡ１４または着脱材Ｂ１５を備え、係る着脱シートＡ１４または着脱材Ｂ１５に着脱可能に係止可能な開口係止部アダプター６０である開口延長アダプター６２としての板材が設けられている構成の例である。
係る板材である開口延長アダプター６２は、係る着脱シートＡ１４または着脱材Ｂ１５を備えた側を外側として、係る着脱シートＡ１４または着脱材Ｂ１５を備えた側と反対側の面を内側として係る内側に収納物Ｓを備えた構成の例であり、係る板材である開口延長アダプター６２は、係るポケット２の中空収納部７に、係る 収納開口部１８の着脱シートＡ１４または着脱材Ｂ１５に着脱可能に係止して収納された構成の例である。
【０１１６】
係る開口延長アダプター６２の内側には収納物Ｓが収納されており、係る収納物Ｓは、携帯電話である構成の例であり、係る携帯電話が、係るポケット２から落下し難い様に、係るポケット２に開口係止部アダプター６０である開口延長アダプター６２が設けられている構成の例である。
昨今の携帯電話は、サイズが大きいものも多く、係るシャツのポケット２に収納すると、はみ出てしまうものも多く、かがんだ際等に係る携帯電話を落下して落とすということが、ありがちであり、係る携帯電話の破損に繋がり、大事なデータの喪失等、多大な損害が発生することがあるものであり、係る構成によって、係る損害を回避することが可能であり、大変有用である。
【０１１７】
係る板状の開口係止部アダプター６０である開口延長アダプター６２は、そのように、係るポケット２よりはみ出るような大きなサイズの収納物Ｓを保持可能とする為、係るポケット２の収納開口部１８から外に飛び出た部分で係る収納物Ｓを支えて保持可能な構成である。
また、係る板状の開口係止部アダプター６０である開口延長アダプター６２には、係る収納物Ｓが落下し難いように、係る内側の上の方に、凸部が設けられた構成の例であり、係る凸部は、係る収納物Ｓが引っ掛かって落下し難い構成の落下抑止部６３である。
係る落下抑止部６３は、係る開口延長アダプター６２と合わせて係るポケット２に収納された収納物Ｓが、係るポケット２から落下しない為の係る開口延長アダプター６２に備えられた落下抑止構造であり、この様な凸部でも良いし、係る開口延長アダプター６２の内側に備えられた滑り止めの材質や、自己吸着シートでも良いが、係る収納物Ｓの出し入れの際に、収納物Ｓが、上手く滑らず引っ掛かって、上手くポケット２の中に滑り込み難くならない材質であることが、望ましい。
【０１１８】
係る開口延長アダプター６２は、係る落下抑止部６３と係る収納開口部１８の位置を延長して、係る開口延長アダプター６２によって 収納開口部１８の高さを高くすることと、係る開口延長アダプター６２が係る中空収納部７内の着脱シートＡ１４または着脱材Ｂ１５と着脱可能に係止されていることによって、係る収納物Ｓの落下を防止する構成の例である。
また、係るポケット２は、略全体が着脱シートＡ１４または着脱材Ｂ１５の係止可能な構成としても良く、係る構成とすることによって、より、係る開口係止部アダプター６０である開口延長アダプター６２が、安定的に保持可能であり有用であり、係る係止可能な範囲は、必要に応じて設定すべきものであり、限定しない。
【０１１９】
図５（ｂ）の構成の例は、係る開口延長アダプター６２に名前が設けられている構成であり、係る開口延長アダプター６２を名札７０としても兼ねた構成の例であり、有用である。
係るポケット２の中空収納部７に、係る 収納開口部１８の着脱シートＡ１４または着脱材Ｂ１５を備えた構成とすることによって、ポケット２の外側から着脱シートＡ１４または着脱材Ｂ１５が見えないような構成とすることが可能であるので、装飾的に有用である。
【０１２０】
図５（ｆ）の構成の例は、 図５（ａ）の構成の例におけるシャツのポケット２の構成の例において、係る開口延長アダプター６２が可撓性のシート状の素材である例であり、係るポケット２の形状と合わせてアーク状に湾曲することが可能な構成であり、係る開口延長アダプター６２が、この様にアーク状に湾曲可能に可撓性を備えた構成であることによって、係る湾曲状態において、係る開口延長アダプター６２の剛性がアップし、且つ、係る中空収納部７の容積も増える構成となり、有用である。
また、係る開口延長アダプター６２が可撓性のシート状の素材であることによって、ある程度、収納物Ｓの形やサイズに合わせてその形状が湾曲して馴染むことが可能であり、また、係る開口延長アダプター６２を装着している人にとっても違和感が少なく、有用である。
係る構成の開口延長アダプター６２の可撓性を備えた素材は、略水平方向に座屈して、係る収納物Ｓの落下防止材としての係る開口延長アダプター６２としての役割を果たさなくなるので、図５（ｆ）に示す様に、係る収納開口部１８に対して略垂直方向の軸を備えて、係る開口延長アダプター６２は、安定的にアーク状に湾曲させる構成とすることが望ましい。
その為、係る可撓性を備えた開口延長アダプター６２は、係るポケット２に係る開口延長アダプター６２を設けた際に、収納開口部１８に対して略垂直方向になるようなリブを備えることによって、係る開口延長アダプター６２の略水平方向の座屈を抑制し、安定的に係る収納開口部１８に対して略垂直方向に湾曲する構成であり、有用である。
【０１２１】
係る開口延長アダプター６２の湾曲方向を制御する係るリブは、湾曲制御部６５であり、係る湾曲制御部６５は、リブでも良いし、波形状でも、Ｖ字形状でも、コの字形状でも良く、またその数も、１つでも良いし、２つでも良いし、それ以上でも良く、その他、本発明の技術的思想の範囲内、即ち、同一の作用効果を発揮できる範囲内で限定しない。
因みに、図５（ｇ）の構成の例が、図５（ｆ）の構成のリブの代わりに、係る開口延長アダプター６２を縦方向に波形状として、係る湾曲方向を制御した構成の例である。
また、係る開口延長アダプター６２の湾曲形状は、予め湾曲形状である可撓性のシート状の素材である構成としても良いし、また、予め湾曲形状である、ソリッドな硬質な板状の素材としても良い。
【０１２２】
図６の構成の例は、係る開口延長アダプター６２が、略筒状である構成の例であり、着脱係止収納アダプターユニット１が衣類のポケット２である構成の例である。
図６（ａ）の構成の例の着脱係止収納アダプターユニット１の構成の例が、シャツのポケット２であり、係るポケット２に、図６(ｂ)の構成の例と同等の構成の筒状の開口延長アダプター６２が設けられている構成の例であり、係る開口延長アダプター６２を挿通する様にして、収納物Ｓが収納された構成の例であり、係る着脱係止収納アダプターユニット１の構成の例の縦断面図が、図６（ｅ）であり、係る開口延長アダプター６２内に、収納物Ｓが収納された状態を示している。
係る開口延長アダプター６２が貫通した略筒状であることによって、係るポケット２の中空収納部７の容量を、そこまで、目一杯有効に使うことができる構成であり、有用である。
【０１２３】
図６（ｄ）が係る着脱係止収納アダプターユニット１の収納物Ｓを収納していない状態の着脱係止収納アダプターユニット１の縦断面図であり、係る収納開口部１８に着脱シートＡ１４または着脱材Ｂ１５が備えられ、係る着脱シートＡ１４または着脱材Ｂ１５と係る開口延長アダプター６２の外面に設けられた着脱シートＡ１４または着脱材Ｂ１５が互いに着脱可能に係止されることによって、係る開口延長アダプター６２がかかるポケット２から脱落することなく、係るポケット２に係止され、係る開口延長アダプター６２の収納開口部１８も、係る着脱シートＡ１４または着脱材Ｂ１５にて係止された構成の例であり、図６（ｅ）の構成の例が示す様に、係る開口延長アダプター６２の収納開口部１８にて、係る収納物Ｓが落下しない様に、止まる構成となっており、有用である。
【０１２４】
また、係る開口延長アダプター６２の収納開口部１８が着脱シートＡ１４または着脱材Ｂ１５とする構成とすることによって、例えば、係る開口延長アダプター６２の収納開口部１８が備えた着脱シートＡ１４または着脱材Ｂ１５をマグネットやマグネットシートあるいは、係るマグネットシートと着脱可能に係止可能なスチールラバーシートである構成とした場合、係るマグネットの特性として、少し離れたところからでも閉じて吸着して開閉も可能で、また、比較的、面ファスナーと比較すると開閉も容易であり、収納容器の開口部の着脱可能な係止具として、有用な面が多い反面、こうした衣類においては、洗濯しなければならないので、マグネットやマグネットシートやスチールラバーシートは、水に強くない為、係る衣類のポケット２の収納開口部１８の着脱シートＡ１４または着脱材Ｂ１５に係るマグネットやマグネットシートやスチールラバーシートを備える構成というのは、あまり好ましくない点があった。
しかし、この様に、開口延長アダプター６２の収納開口部１８に係るマグネットやマグネットシートやスチールラバーシートを備える構成とすると、洗濯の際に着脱可能であるので、衣類の収納開口部１８に、収納物Ｓを出し入れし易いマグネットやマグネットシートやスチールラバーシートを備えるポケットとする構成としたい場合にも、対応可能であり、有用である。
【０１２５】
図６（ｆ）の構成の例は、図６（ｅ）の構成の例の開口延長アダプター６２の外面に、例えばカード等を収納可能な外面補助収納部６４を備え、係る外面補助収納部６４の収納開口部１８の外側に、着脱シートＡ１４または着脱材Ｂ１５を備え、係るポケット２側の着脱シートＡ１４または着脱材Ｂ１５と係止されて、係る開口延長アダプター６２の位置が保持されている構成の例である。
尚、図６（ｃ）の構成の例が、係る外面補助収納部６４を備えた開口延長アダプター６２の斜視図の例である。
【０１２６】
係る外面補助収納部６４の収納開口部１８の外側に、係る着脱シートＡ１４または着脱材Ｂ１５を備えていることによって、例えば係る外面補助収納部６４にカードを収納した場合に、係るポケット２の収納開口部１８のすぐそばに、係る外面補助収納部６４からの取り出し口がある為、係るカードをすぐ取り出し易く、特によく頻繁に使うカードなどは、係る外面補助収納部６４に収納しておくと、係るカードの出し入れの作業が非常に楽になり、有用である。
【０１２７】
図６（ｇ）の構成の例は、係る筒状の開口延長アダプター６２に、底を備えた構成の例であり、係る開口延長アダプター６２を係る収納物Ｓの収納容器としても取り出して持ち運ぶことが可能であり、有用である。
つまり、例えば、カードケースに係るカードを入れていた場合は、係るカードケースをポケット２から取り出して、係るカードケースから係るカードを取り出すという工程で、係るカードを取り出すという動作がなされ、両手が必要でもあるのであるが、本願発明の係る構成によれば、係るカードを、片手で簡単にポケット２から、片手で取り出すことが可能であるので、片手が塞がっているような場合でも、係るカードの取り出し動作が容易に可能であり、有用である。
【０１２８】
係るポケット２は、衣類のポケット２の例であるが、係る衣類はシャツでも良いし、ズボンでもスカートでも良いし、ジャケットでも良いし、ジャンパーでも、コートでも良く、その他、限定せず、本発明の技術的思想の範囲内、即ち、同一の作用効果を発揮できる範囲内で限定しない。
また、係るポケット２は、衣類のポケット２の例であるが、衣類のポケット２でも良いし、バッグのポケット２でも良いし、その他、限定せず、本発明の技術的思想の範囲内、即ち、同一の作用効果を発揮できる範囲内で限定しない。
また、係る着脱係止収納アダプターユニット１の構成が図６の構成の例のようなポケットである構成の例においても、係る開口延長アダプター６２は、図６の構成の例の様な筒状でも良いし、図１の構成の例の様な二重あるいは二重以上に係止した構成としても良い。
【０１２９】
図７の構成の例は、係る着脱係止収納アダプターユニット１に、名札７０が備えられた構成の例である。
図７（ａ）と図７（ｂ）の構成の例の着脱係止収納アダプターユニット１は、図６（ｆ）の構成の開口延長アダプター６２に名札７０が設けられた構成の例であり、図７（ｂ）は、図７（ａ）と同等の構成の例の、縦断面図である。
【０１３０】
係る名札７０は、係る開口延長アダプター６２に設けられた外面補助収納部６４の上を覆う様にして、係るポケット２の前面側に垂れ下がる様にして設けられている構成の例であり、係る外面補助収納部６４に収納されたカード類等の、万一の落下やスリ等の盗難の様なリスクに対しても、係る名札７０が設けられていることによって、係る名札７０が係る外面補助収納部６４の蓋の様な構成となり、係るリスクを軽減可能であり、有用である。
また、係る構成とすることによって、名札７０をポケット２に安全ピン等に係止した際には、係るポケット２が、係る名札７０の重量で垂れ下がることもあるが、そうした課題も解決でき、有用である。
【０１３１】
図７（ｃ）の構成の例の着脱係止収納アダプターユニット１は、図７（ａ）の構成の開口延長アダプター６２に名札７０が設けられた構成の例であり、係る名札７０は、中空収納部７の収納開口部１８を覆う様にして設けられている構成の例である。
係る名札７０が、係る中空収納部７の収納物Ｓが落下しない様に押さえる蓋となり、係る収納物Ｓを係る中空収納部７内から落下しないように保持可能な構成であり、有用である。
尚、図７(ｂ)の構成の例の名札７０は、係る開口延長アダプター６２に、着脱可能に設けられた構成の例であり、図７(ａ）の構成の名札７０も、着脱可能に設けても良く、係る名札７０は、着脱可能に設けることによって、人が変わったり、係る名札７０が必要でない時は、取り外すことも可能であるので、有用である。
【０１３２】
また、係る名札７０が必要でない時は、係る名札７０の設けられた開口延長アダプター６２を、前後ひっくり返して係るポケット２に収納することも可能な構成であり、必要に応じて、簡単に係る名札７０を隠すことも可能であり、安全ピン等で係る衣類に係止すると、取り外しの着脱が煩わしいが、そうした煩わしさも無く、有用である。
尚、係る前面側は、係るポケット２の中空収納部７において、係る衣類のシャツ本体の構成シート１０によって形成される側を背面側とし、係るシャツ本体の構成シート１０と対面して設けられる側の構成シート１０を、前面側とする。
【０１３３】
図８の構成の例の着脱係止収納アダプターユニット１は、開口係止部アダプター６０が、名札７０である構成の例である。
図８（ａ）の構成の例においては、図６（ｅ）の構成の例の着脱係止収納アダプターユニット１と同等の開口延長アダプター６２が、係るポケット２の収納開口部１８に設けられ、係る開口延長アダプター６２と係るポケット２の収納開口部１８の間の着脱シートＡ１４または着脱材Ｂ１５に、開口係止部アダプター６０である名札７０が設けられている構成の例である。
【０１３４】
係る名札７０には、係る名札７０と一体の可撓性のシート状部材に、着脱シートＡ１４または着脱材Ｂ１５が係る可撓性のシートの両面側に設けられており、係る中空収納部７の収納開口部１８の開口部の両側の内側に設けられた着脱シートＡ１４または着脱材Ｂ１５の間に、開口延長アダプター６２と開口係止部アダプター６０である名札７０が着脱可能に係止して設けられることによって、係るポケット２が係る名札７０の重量によって垂れることなく、係るポケット２に設けることが可能となり、且つ、携帯電話等の収納物Ｓが落下しない様に収納可能で、また、係る名札７０をより強く着脱可能に設けることが可能となるので、脱落し難く、有用である。
【０１３５】
図８（ｂ）の構成の例の係る開口係止部アダプター６０である名札７０が、着脱シートＡ１４または着脱材Ｂ１５を備え、係るポケット２の中空収納部７の収納開口部１８に挿入され、係るポケット２の中空収納部７の収納開口部１８の内側に設けられた着脱シートＡ１４または着脱材Ｂ１５に着脱可能に挟持されて係止された構成の例である。
【０１３６】
係る名札７０には、可撓性のシート状部材に係る着脱シートＡ１４または着脱材Ｂ１５が係る可撓性のシートの両面側に設けられており、係る中空収納部７の収納開口部１８の開口部の両側の内側に設けられた着脱シートＡ１４または着脱材Ｂ１５と係る名札７０側の着脱シートＡ１４または着脱材Ｂ１５が互いに係止することによって、係る名札７０は係る中空収納部７の収納開口部１８に挟持される様にして係止され、係る名札７０は、係る収納開口部１８にて着脱シートＡ１４または着脱材Ｂ１５に挟持される様にして係止されることによって、係るポケット２が係る名札７０の重量によって垂れることなく、係るポケット２に設けることが可能となり、また、係る名札７０がより強く着脱可能に設けられる構成であるので、脱落し難く、有用である。
【０１３７】
図８（ｃ）の構成の例の係る開口係止部アダプター６０は、係る収納開口部１８の背面側に設けられた着脱シートＡ１４または着脱材Ｂ１５と係止された構成の例である。
特に、係る収納開口部１８の背面側に設けられた着脱シートＡ１４または着脱材Ｂ１５は、一方側だけの係止構造であるので、より大きなサイズの着脱シートＡ１４または着脱材Ｂ１５とすることによって、より安定的に係る開口係止部アダプター６０を保持可能とするものであり、係る収納開口部１８の前面側と背面側に設けられた着脱シートＡ１４または着脱材Ｂ１５の構成と同等の効果を発揮することが可能となり、有用である。
【０１３８】
尚、上記一連の本図の構成の例において、構成シート１０同士の係止部である  シート係止部２０は、縫製でも、融着でも、接着でも、ステープラーでも、リベットでも良く、また、着脱可能な面ファスナーでも良いし、ホック、ボタン、マグネット、フック、ベルト、ファスナー３等でも良く、その他、本発明と同一の作用効果を発揮できる範囲内で限定しない。
また、着脱シートＡ１４及び着脱材Ｂ１５は互いに着脱して係止可能な部材であり、着脱係止部１０７でもある。
【０１３９】
着脱係止部１０７は、着脱シートＡ１４あるいは着脱材Ｂ１５でも良いし、ホックでも良いし、嵌め合いでも、フックでも、ボタンでも、マグネットでも良く、その他、本発明の技術的思想の範囲内、即ち、同一の作用効果を発揮できる範囲内で限定しない。
また、各図における、着脱シートＡ１４あるいは着脱材Ｂ１５を備えた構成は、係る着脱シートＡ１４及び着脱材Ｂ１５の代わりに、係る収納開口部１８に係る着脱係止部１０７を備えた構成としても良い。
【０１４０】
また、各図に示されている構成の例、及び説明については、代表的にその図面の構成にて説明しているにすぎず、それぞれの各図の構成に対して、互いに応用可能である。
また、前記構成シート１０には、穴又は切り込みを設けても良い。
また、構成シート１０の素材は、可とう性を有したシート状で、テント生地やメッシュ生地等の布状部材、他各種繊維素材、各種ゴムや各種樹脂シート製、ビニール、綿、麻等の天然素材、紙製、網状、金属メッシュ等金属、張り剥がし自在なシートや自己吸着シート、マグネットシート、面ファスナー、スチールラバーシート、エラストマー系の樹脂、シリコンゴム、発泡樹脂、また、色も透明、蛍光、光っても良く、その他、必要に応じた強度、機能を有し、本発明と同一の作用効果を発揮できる範囲内でその素材を限定しない。用途によっては、シリコン樹脂やゴム、エラストマー系の樹脂等で、水漏れ防止としても良い。
また、構成シート１０が穴や切り込みを備えるか、あるいは網状の構成シート１０としても良い。
【０１４１】
また、構成シート１０の形状も、波型、山形、その他異形でも、長さ、大きさ違いの組み合わせ違いでもよく、その形状を限定せず、また、厚さも、本発明と同一の作用効果を発揮できる範囲内で限定しない。
また、開口係止部アダプター６０は、着脱係止収納具６６の収納開口部１８に着脱可能に係止可能な取り付け具であり、本願発明においては、開口延長アダプター６２、または名札７０を備えた開口延長アダプター６２、または名札７０あるいは収納名札５１である構成である。
【０１４２】
また、着脱係止収納具６６は、着脱係止収納アダプターユニット１を形成可能である収納具であり、二重以上に設けられた構成シート１０が、係る構成シート１０に挟まれた中空収納部７を備え、係る中空収納部７は、収納物Ｓを収容可能な収納部であり、係る収納開口部１８または中空収納部７において開口係止部アダプター６０と着脱可能に係止可能であるか、または、係る中空収納部７を形成する対向する構成シート１０の一部または全部が、着脱可能に係止可能であり、開口係止部アダプター６０と着脱可能に係止することによって、着脱係止収納アダプターユニット１を形成可能とする収納具である。
【０１４３】
また、収納開口部１８から中空収納部７内への水漏れ防止可能な構成としては、図面には示されていないが、収納開口部１８の端から端の略全体に渡って、係る収納開口部１８を塞ぐ様にして、着脱シートＡ１４と着脱材Ｂ１５に挟持される様に設けられた水漏れ防止部材を設け、係る水漏れ防止部材は、ラバー部材や、あるいはその他、発泡樹脂またはシリコン樹脂やゴム、エラストマー系の樹脂としてもよく、その他、本発明と同一の作用効果を発揮できる範囲内でその素材を限定しない。
【産業上の利用可能性】
【０１４４】
本願発明は、収納物の収納スペースの省スペース化、収納物の破損、紛失、スリの予防を容易に可能とする、社会的にも有意義で、魅力的な発明品であり、産業上利用可能性は極めて高いと思慮されるものである。
【符号の説明】
【０１４５】
１      着脱係止収納アダプターユニット
２     ポケット
４     財布
７     中空収納部
８     ファイル
１０    構成シート
１４    着脱シートＡ
１５    着脱材Ｂ
１８    収納開口部
２０    シート係止部
２２    スリット・穴
４０    ファイリング穴
４１    連結穴
５０    小口
５１    収納名札
５２    札挟持部
５３    名前入れ面
６０    開口係止部アダプター
６１    係止切欠き部
６２    開口延長アダプター
６３    落下抑止部
６４    外面補助収納部
６５    湾曲制御部
６６    着脱係止収納具
６８    タブ係止部
６９    対面曲折部
７０    名札
１０７  着脱係止部
Ｓ      収納物
【要約】
【課題】あらゆる収納可能なスペースの有効活用と、紙媒体や雑貨等の小物を安全に収納可能な収納ユニットを提供する。
【解決手段】紙類挟持具はファイル（８）であり、前記紙類挟持具は、収納物（Ｓ）を収納可能な中空領域である  中空収納部（７）が、可とう性を有する略シート状の素材から成る１以上の構成シート（１０）からなり、前記中空収納部（７）は開口可能な  収納開口部（１８）を備え、前記紙類挟持具を構成する前記構成シート（１０）が、前記中空収納部（７）を構成する構成シート（１０）の内側と外側に、着脱可能に係止可能な着脱係止部（１０７）を備え、複数の前記ファイル（８）が、前記構成シート（１０）の外側の面に備えられた着脱係止部（１０７）によって互いに係止することによって、互いの前記ファイル（８）が支え合い、自立可能である構成とした。
【選択図】図１【図１】
0006910524.tif 000002
【図２】
0006910524.tif 000003
【図３】
0006910524.tif 000004
【図４】
0006910524.tif 000005
【図５】
0006910524.tif 000006
【図６】
0006910524.tif 000007
【図７】
0006910524.tif 000008
【図８】
0006910524.tif 000009